(57)【要約】【課題】  比較的簡単な構成でもって採光手段からの太陽光を照射手段に所要の通りに屈曲して導くことができる採光装置を提供すること。【解決手段】  屋根４に設けられて太陽からの光を導入する採光手段６と、採光手段６からの光をその内面で反射させながら所定方向へ導く筒状の導光手段８と、天井１０に設けられて導光手段８からの光を屋内に照射する照射手段１２とを備えた採光装置２。導光手段８は、採光手段６に装着される第１筒状部材６２と、照射手段１２に装着される第２筒状部材６４と、第１筒状部材６２と第２筒状部材６４との間に接続される第３筒状部材６６とから構成され、第１筒状部材６２及び第２筒状部材６４はそれぞれ角度調節機構を備え、角度調節機構により第１筒状部材６２及び第２筒状部材６４は０〜４５度の角度範囲で屈曲自在である。【選択図】  図１
2006054071.tif 000002
【特許請求の範囲】
【請求項１】
屋根に設けられて太陽からの光を導入する採光手段と、前記採光手段からの光をその内面で反射させながら所定方向へ導く筒状の導光手段と、天井に設けられて前記導光手段からの光を屋内に照射する照射手段とを備えた採光装置において、
前記導光手段は、前記採光手段に装着される第１筒状部材と、前記照射手段に装着される第２筒状部材と、前記第１筒状部材と前記第２筒状部材との間に接続される第３筒状部材とから構成され、
前記第１筒状部材及び前記第２筒状部材はそれぞれ角度調節機構を備え、前記角度調節機構により前記第１筒状部材及び前記第２筒状部材は０度〜４５度の角度範囲で屈曲自在であることを特徴とする採光装置。
【請求項２】
屋根に設けられて太陽からの光を導入する採光手段と、前記採光手段からの光をその内面で反射させながら所定方向へ導く筒状の導光手段と、天井に設けられて前記導光手段からの光を屋内に照射する照射手段とを備えた採光装置において、
前記採光手段はドーム部材と取付部材とから構成され、前記取付部材は、前記屋根に取り付けられる基台部と、前記基台部から上方に延びる筒状の支持部とから構成され、前記ドーム部材は前記支持部の開口部に装着され、前記導光手段の一端部は前記屋根に形成された開口を通して前記支持部に装着され、その他端部は前記照射手段に装着されることを特徴とする採光装置。
【請求項３】
前記基台部には、前記屋根の野地板に取り付けるための貫通孔が設けられ、前記貫通孔の周辺部は、同一平面を規定することを特徴とする請求項２に記載の採光装置。
【請求項４】
前記基台部の上端部は、前記基台部に隣接してその上側にて前記野地板に敷設された屋根瓦の下端部の形状に対応した波形形状に形成され、前記基台部の下端部は、前記基台部に隣接してその下側にて前記野地板に敷設された屋根瓦の上端部の形状に対応した波形形状に形成されていることを特徴とする請求項２又は３に記載の採光装置。
【請求項５】
前記基台部の一側端部は、前記基台部に隣接してその一側端部側にて前記野地板に敷設された屋根瓦の形状に対応した階段形状に形成され、前記基台部の他側端部は、前記基台部に隣接してその他側端部側にて前記野地板に敷設された屋根瓦の形状に対応する階段形状に形成されていることを特徴とする請求項２〜４のいずれかに記載の採光装置。
【請求項６】
屋根に設けられて太陽からの光を導入する採光手段と、前記採光手段からの光をその内面で反射させながら所定方向に導く筒状の導光手段と、天井に設けられて前記導光手段からの光を屋内に照射する照射手段とを備えた採光装置において、
前記導光手段の一端部は前記採光手段に装着され、その他端部は固定用リングを介して前記照射手段に装着され、前記固定用リングには固定用バンドを挿通するための挿通孔が設けられ、前記挿通孔を通して前記固定用バンドを装着することによって、前記固定用リング及び前記固定用バンドの間に前記天井が挟持されることを特徴とする採光装置。
【請求項７】
前記固定用バンドは、前記天井に当接する当接部と、前記当接部から延びるバンド部とを有し、前記バンド部には前記固定用リングの前記挿通孔に係止する係止爪が長手方向に間隔をおいて複数設けられ、前記固定用バンドの前記バンド部を前記固定用リングの前記挿通孔を通して前記係止爪を前記固定用リングの前記挿通孔に係止することによって、前記固定用バンドの前記当接部と前記固定用リングとの間に前記天井が挟持されることを特徴とする請求項６に記載の採光装置。
【請求項８】
前記挿通孔に関連して、前記固定用リングには固定孔が設けられ、螺着部材は前記固定孔を通して前記天井及び前記固定用バンドの前記当接部に螺着されることを特徴とする請求項７に記載の採光装置。
【請求項９】
屋根に設けられて太陽からの光を導入する採光手段と、前記採光手段からの光をその内面で反射しながら所定方向に導く筒状の導光手段と、天井に設けられて前記導光手段からの光を屋内に照射する照射手段とを備えた採光装置において、
前記導光手段は、一端の外径が他端の外径よりも幾分小さい１又は２以上の筒状部材から構成され、前記筒状部材は可撓性を有する矩形状の薄板を湾曲させて形成され、前記薄板の一側部の一端側には第１切欠きが設けられ、前記薄板の前記一側部の他端側には第２切欠きが設けられ、さらに前記薄板の前記一側部の中間部には第３切欠きが設けられ、前記第１切欠きは前記第２切欠きよりも長く形成されており、前記薄板の他側部を前記一側部の前記第１〜第３切欠きに差し込むことによって、前記筒状部材がテーパ状に形成されることを特徴とする採光装置。
【請求項１０】
前記薄板の前記一側部の前記一端側には、前記第１切欠きの外側に前記第２切欠きが設けられ、また、前記薄板の前記一側部の前記他端側には、前記第２切欠きの内側に前記第１切欠きが設けられていることを特徴とする請求項９に記載の採光装置。
【請求項１１】
屋根に設けられて太陽からの光を導入する採光手段と、前記採光手段からの光をその内面で反射しながら所定方向に導く筒状の導光手段と、天井に設けられて前記導光手段からの光を屋内に照射する照射手段とを備えた採光装置において、
前記照射手段は前記導光手段の端部に装着され、前記照射手段に関連して排気手段が付設され、前記排気手段は前記導光手段の前記端部の外周側を覆うリング状の吸気部材を備え、前記吸気部材にはダクト接続孔が設けられ、前記ダクト接続孔に、外部に連通する換気用ダクトが接続されることを特徴とする採光装置。
【請求項１２】
屋根に設けられて太陽からの光を導入する採光手段と、前記採光手段からの光をその内面で反射しながら所定方向に導く筒状の導光手段と、天井に設けられて前記導光手段からの光を屋内に照射する照射手段とを備えた採光装置において、
前記導光手段の一端部は前記採光手段に装着され、その他端部は前記照射手段に装着され、前記導光手段の内部には照明装置が配設され、前記照明装置は、前記導光手段の側面部に装着された棒状の支持体と、前記支持体に設けた光源とから構成されていることを特徴とする採光装置。
【請求項１３】
前記支持体は、その長手方向の垂直断面が略三角形状に形成されており、前記支持体の底部は下方を向き、またその頂部は上方を向いていることを特徴とする請求項１２に記載の採光装置。
【請求項１４】
前記採光手段は、太陽からの光を前記導光手段に向けて反射するための反射板を備え、前記反射板は弓状に湾曲しており、またその凹面側が南側を向いていることを特徴とする請求項１，２，６，９，１１，１２のいずれかに記載の採光装置。
【発明の詳細な説明】
【技術分野】
【０００１】
本発明は、太陽からの光を屋内へ導入して屋内を照明する採光装置に関する。
【背景技術】
【０００２】
従来より、太陽からの光を屋内に導入して、この太陽からの光により屋内を照明する採光方法として、屋根に天窓を設置する方法が用いられている。しかし、天窓は、屋内から屋根が直接見えるような構造を有する家屋でなければ設置することができないため、既存の家屋には設置が困難である場合が多いという問題があった。
【０００３】
そこで、近年、既存の家屋にも適用できる採光方法として、屋根に設けられて太陽からの光を導入する採光手段と、この採光手段からの光をその内面で反射させながら所定方向へ導く筒状の導光手段と、天井に設けられて導光手段からの光を屋内に照射する照射手段とを備えた採光装置を用いる方法が提案されている（例えば、特許文献１参照）。
【０００４】
【特許文献１】特開平１１−３０６８１９号公報
【発明の開示】
【発明が解決しようとする課題】
【０００５】
しかしながら、上述のような従来の採光装置では、次のような問題がある。第１に、屋根裏等に導光手段を配設する際には、採光手段と照射手段との相対的な位置関係に応じて、又は屋根裏等の空間の大きさに応じて、導光手段を所定箇所で屈曲させながら配設する必要がある。この時、導光手段は可撓性を有さない例えばパイプやダクト等の筒状部材で構成されているため、予め所定角度に屈曲させた筒状部材と、直線状の筒状部材とを継ぎ合わせることにより、導光手段を所定箇所で屈曲させていた。この場合、採光装置を設置する家屋によって、採光手段と照射手段との相対的な位置関係、及び屋根裏等の空間の大きさなどは多様であるため、例えば１０度、１５度、３０度又は４５度など各種の角度に予め屈曲させた筒状部材を用意する必要があり、製造コストが増大してしまうという問題があった。また、例えば３０度の角度に屈曲させた筒状部材の屈曲角度を３２度の角度に微調整するということができないため、導光手段を屈曲させながら配設する際の自由度が小さくなり、導光手段を適切に配設できない場合があるという問題もあった。
【０００６】
第２に、採光装置を屋根瓦が敷設された家屋に設置する場合、採光手段を野地板に取り付ける必要がある。しかし、屋根瓦の形状は複雑であるため、採光手段の形状と、採光手段に隣接する屋根瓦の形状とを合致させるのは困難である。そのため、採光手段と屋根瓦との間に隙間が生じ、この隙間から雨水が浸入して雨漏りの原因となるという問題があった。
【０００７】
第３に、従来の採光装置では、導光手段の他端部を例えば固定用リング等の固定用部材を介して照射手段に装着しており、例えば、固定用部材をネジ止めにより天井に固定することにより、導光手段及び照射手段を天井に固定していた。このような取付構造では、天井がベニヤ板などの木板で構成されている場合には、天井はネジ止め用の下地を有しているため、固定用部材をネジ止めにより天井に固定することが可能であった。しかし、近年では、防火性及び遮音性を有するプラスターボード（焼石膏を主原料とした心材の両面をボード用原紙で被覆して板状に圧延成型したもの）で天井を構成した家屋が増加しており、このプラスターボードの天井である場合、プラスターボードはネジ止め用の下地を有していないため、固定用部材をネジ止めにより天井に固定することができず、採光装置の施工が容易に行えないという問題があった。
【０００８】
第４に、採光装置の導光手段は、一端の外径が他端の外径よりも幾分小さく、僅かな傾斜（すなわち、テーパ）を有する筒状部材を、複数個重ね継ぎして構成されている。筒状部材にテーパを施すのは加工上難しく、また加工精度のバラツキにより、複数個の筒状部材を重ね継ぎして直線状の導光手段を形成する際に導光手段が歪になってしまい、導光手段を適切に配設できないという問題もあった。
【０００９】
第５に、家屋の部屋（例えば、居間等）には、室内の換気を行うために換気装置を設置することがある。このような場合、一つの部屋に採光装置と換気装置とを別個独立に設置するようになるため、設置作業が煩雑で、設置コストも高くなる問題があった。また、室内側に換気装置の換気部と採光装置の照射手段を設けるようになるために、室内のインテリアとして好ましいものではなかった。
【００１０】
第６に、太陽光を得ることができない夜間などでは、採光装置によって屋内を照明することができないため、採光装置による照射手段とは別に、蛍光灯などの電灯を室内の天井に設置しなければならなかった。したがって、１つの部屋に採光装置による照射手段と電灯とを別個独立に設置するようになるため、設置作業が繁雑で、設置コストが高くなり、また室内のインテリアとして好ましいものではなかった。
【００１１】
本発明の第１の目的は、比較的簡単な構成でもって採光手段からの太陽光を照射手段に所望の通りに屈曲して導くことができる採光装置を提供することである。
また、本発明の第２の目的は、採光手段の取付けが容易に行え、また屋根瓦が敷設された屋根であっても雨漏りなどなく取り付けることができる採光装置を提供することである。
【００１２】
また、本発明の第３の目的は、照射手段を屋内の天井に容易に且つ確実に取り付けることができる採光装置を提供することである。
また、本発明の第４の目的は、導光手段を構成する筒状部材を所望のテーパ形状に容易に且つ簡単に形成することができる採光装置を提供することである。
【００１３】
さらに、本発明の第５の目的は、屋内を照明するのみならず、屋内の空気を排気することができる多機能な採光装置を提供することである。
また、本発明の第６の目的は、太陽光を得ることができない夜間においても、屋内を照明することができる採光装置を提供することである。
【課題を解決するための手段】
【００１４】
本発明の請求項１に記載の採光装置では、屋根に設けられて太陽からの光を導入する採光手段と、前記採光手段からの光をその内面で反射させながら所定方向へ導く筒状の導光手段と、天井に設けられて前記導光手段からの光を屋内に照射する照射手段とを備えた採光装置において、
前記導光手段は、前記採光手段に装着される第１筒状部材と、前記照射手段に装着される第２筒状部材と、前記第１筒状部材と前記第２筒状部材との間に接続される第３筒状部材とから構成され、
前記第１筒状部材及び前記第２筒状部材はそれぞれ角度調節機構を備え、前記角度調節機構により前記第１筒状部材及び前記第２筒状部材は０度〜４５度の角度範囲で屈曲自在であることを特徴とする。
【００１５】
また、本発明の請求項２に記載の採光装置では、屋根に設けられて太陽からの光を導入する採光手段と、前記採光手段からの光をその内面で反射させながら所定方向へ導く筒状の導光手段と、天井に設けられて前記導光手段からの光を屋内に照射する照射手段とを備えた採光装置において、
前記採光手段はドーム部材と取付部材とから構成され、前記取付部材は、前記屋根に取り付けられる基台部と、前記基台部から上方に延びる筒状の支持部とから構成され、前記ドーム部材は前記支持部の開口部に装着され、前記導光手段の一端部は前記屋根に形成された開口を通して前記支持部に装着され、その他端部は前記照射手段に装着されることを特徴とする。
【００１６】
さらに、本発明の請求項３に記載の採光装置では、前記基台部には、前記屋根の野地板に取り付けるための貫通孔が設けられ、前記貫通孔の周辺部は、同一平面を規定することを特徴とする。
【００１７】
さらにまた、本発明の請求項４に記載の採光装置では、前記基台部の上端部は、前記基台部に隣接してその上側にて前記野地板に敷設された屋根瓦の下端部の形状に対応した波形形状に形成され、前記基台部の下端部は、前記基台部に隣接してその下側にて前記野地板に敷設された屋根瓦の上端部の形状に対応した波形形状に形成されていることを特徴とする。
【００１８】
また、本発明の請求項５に記載の採光装置では、前記基台部の一側端部は、前記基台部に隣接してその一側端部側にて前記野地板に敷設された屋根瓦の形状に対応した階段形状に形成され、前記基台部の他側端部は、前記基台部に隣接してその他側端部側にて前記野地板に敷設された屋根瓦の形状に対応する階段形状に形成されていることを特徴とする。
【００１９】
また、本発明の請求項６に記載の採光装置では、屋根に設けられて太陽からの光を導入する採光手段と、前記採光手段からの光をその内面で反射させながら所定方向に導く筒状の導光手段と、天井に設けられて前記導光手段からの光を屋内に照射する照射手段とを備えた採光装置において、
前記導光手段の一端部は前記採光手段に装着され、その他端部は固定用リングを介して前記照射手段に装着され、前記固定用リングには固定用バンドを挿通するための挿通孔が設けられ、前記挿通孔を通して前記固定用バンドを装着することによって、前記固定用リング及び前記固定用バンドの間に前記天井が挟持されることを特徴とする。
【００２０】
さらにまた、本発明の請求項７に記載の採光装置では、前記固定用バンドは、前記天井に当接する当接部と、前記当接部から延びるバンド部とを有し、前記バンド部には前記固定用リングの前記挿通孔に係止する係止爪が長手方向に間隔をおいて複数設けられ、前記固定用バンドの前記バンド部を前記固定用リングの前記挿通孔を通して前記係止爪を前記固定用リングの前記挿通孔に係止することによって、前記固定用バンドの前記当接部と前記固定用リングとの間に前記天井が挟持されることを特徴とする。
【００２１】
また、本発明の請求項８に記載の採光装置では、前記挿通孔に関連して、前記固定用リングには固定孔が設けられ、螺着部材は前記固定孔を通して前記天井及び前記固定用バンドの前記当接部に螺着されることを特徴とする。
【００２２】
さらに、本発明の請求項９に記載の採光装置では、屋根に設けられて太陽からの光を導入する採光手段と、前記採光手段からの光をその内面で反射しながら所定方向に導く筒状の導光手段と、天井に設けられて前記導光手段からの光を屋内に照射する照射手段とを備えた採光装置において、
前記導光手段は、一端の外径が他端の外径よりも幾分小さい１又は２以上の筒状部材から構成され、前記筒状部材は可撓性を有する矩形状の薄板を湾曲させて形成され、前記薄板の一側部の一端側には第１切欠きが設けられ、前記薄板の前記一側部の他端側には第２切欠きが設けられ、さらに前記薄板の前記一側部の中間部には第３切欠きが設けられ、前記第１切欠きは前記第２切欠きよりも長く形成されており、前記薄板の他側部を前記一側部の前記第１〜第３切欠きに差し込むことによって、前記筒状部材がテーパ状に形成されることを特徴とする。
【００２３】
さらにまた、本発明の請求項１０に記載の採光装置では、前記薄板の前記一側部の前記一端側には、前記第１切欠きの外側に前記第２切欠きが設けられ、また、前記薄板の前記一側部の前記他端側には、前記第２切欠きの内側に前記第１切欠きが設けられていることを特徴とする。 
また、本発明の請求項１１に記載の採光装置では、屋根に設けられて太陽からの光を導入する採光手段と、前記採光手段からの光をその内面で反射しながら所定方向に導く筒状の導光手段と、天井に設けられて前記導光手段からの光を屋内に照射する照射手段とを備えた採光装置において、
前記照射手段は前記導光手段の端部に装着され、前記照射手段に関連して排気手段が付設され、前記排気手段は前記導光手段の前記端部の外周側を覆うリング状の吸気部材を備え、前記吸気部材にはダクト接続孔が設けられ、前記ダクト接続孔に、外部に連通する換気用ダクトが接続されることを特徴とする。
【００２４】
さらに、本発明の請求項１２に記載の採光装置では、屋根に設けられて太陽からの光を導入する採光手段と、前記採光手段からの光をその内面で反射しながら所定方向に導く筒状の導光手段と、天井に設けられて前記導光手段からの光を屋内に照射する照射手段とを備えた採光装置において、
前記導光手段の一端部は前記採光手段に装着され、その他端部は前記照射手段に装着され、前記導光手段の内部には照明装置が配設され、前記照明装置は、前記導光手段の側面部に装着された棒状の支持体と、前記支持体に設けた光源とから構成されていることを特徴とする。
【００２５】
さらにまた、本発明の請求項１３に記載の採光装置では、前記支持体は、その長手方向の垂直断面が略三角形状に形成されており、前記支持体の底部は下方を向き、またその頂部は上方を向いていることを特徴とする。
【００２６】
さらに、本発明の請求項１４に記載の採光装置では、前記採光手段は、太陽からの光を前記導光手段に向けて反射するための反射板を備え、前記反射板は弓状に湾曲しており、またその凹面側が南側を向いていることを特徴とする。
【発明の効果】
【００２７】
本発明の請求項１に記載の採光装置によれば、導光手段を構成する第１筒状部材及び第２筒状部材はそれぞれ角度調節機構を備え、この角度調節機構により第１筒状部材及び第２筒状部材は０度〜４５度の角度範囲で屈曲自在であるので、予め各種の角度に屈曲させた筒状部材を用意する必要がなく、筒状部材の製造コストを低減でき、また導光手段を屋根裏等に屈曲させながら配設する際の自由度を大きくすることができる。その結果、採光手段と照射手段との相対的な位置関係、及び屋根裏等の空間の大きさなどに左右されることなく、導光手段を自在に配設することができ、各種の家屋に広く適用できる採光装置を提供することが可能となる。
【００２８】
また、本発明の請求項２に記載の採光装置によれば、採光手段をドーム部材と取付部材とから構成し、また取付部材を、屋根（野地板及び／又は屋根瓦等の屋根材）に取り付けられる基台部と、基台部から上方に延びる筒状の支持部とから構成したので、採光装置の構造が極めて簡単なものとなり、従来の天窓と比して採光手段を屋根へ設置することが容易となる。また、取付部材の基台部と支持部とを例えば合成樹脂の一体成型により形成することによって、取付部と基台部との接続部からの雨水の浸入を確実に防止することができる。
【００２９】
さらに、本発明の請求項３に記載の採光装置によれば、基台部に設けた貫通孔の周辺部を同一平面に規定したので、基台部を屋根の野地板に接触するように確実に固定することができ、その結果、取付部材を野地板に沿うようにガタなく取り付けることができる。
【００３０】
さらにまた、本発明の請求項４に記載の採光装置によれば、基台部の上端部及び下端部を、基台部に隣接して野地板に敷設された屋根瓦の形状に対応する波形形状に形成したので、基台部の上端部及び下端部と、基台部に隣接する屋根瓦との間の隙間を小さくすることができ、この隙間から雨が浸入するのを防止することが可能となる。基台部の上側の屋根瓦は、この基台部の上端部を覆うように上側に配置され、また基台部の下側の屋根瓦は、この基台部の下端部に覆われるように下側に配置されるので、雨水は上側の屋根瓦から取付部材を経て下側の屋根瓦に流下し、外部からの雨水の侵入を防止することができる。
【００３１】
また、本発明の請求項５に記載の採光装置によれば、基台部の一側端部及び他側端部を、基台部に隣接して野地板に敷設された屋根瓦の形状に対応する階段形状に形成したので、基台部の一側端部及び他側端部と、基台部に隣接する屋根瓦との間の隙間を小さくすることができ、この隙間から雨が浸入するのを防止することが可能となる。また、請求項４に記載の採光装置と組み合わせることにより、基台部を屋根に取り付けたとしても屋根の外観を損なうことがなく、また雨水の侵入をより効果的に防止することができる。
【００３２】
また、本発明の請求項６に記載の採光装置によれば、導光手段の他端部を固定用リングを介して照射手段に装着し、固定用リングと固定用バンドとの間に天井が挟持されるようにしたので、固定用バンドを固定用リングの挿通孔に挿通するという簡単な作業でもって、固定用リングを天井に容易に固定することができ、その結果、導光手段及び照射手段を天井に容易に固定することが可能となる。
【００３３】
さらにまた、本発明の請求項７に記載の採光装置によれば、固定用バンドのバンド部に固定用リングの挿通孔に係止する係止爪を長手方向に間隔をおいて複数設け、バンド部を固定用リングの挿通孔を通して係止爪を固定用リングの挿通孔に係止することにより、固定用バンドを固定用リングに確実に取り付けることができるとともに、固定用バンドの当接部と固定用リングとの間に天井を確実に挟持することができ、これによって、より確実に固定用リングを天井に固定することが可能となる。
【００３４】
また、本発明の請求項８に記載の採光装置によれば、固定用リングに固定孔を設け、螺着部材が固定孔を通して天井及び固定用バンドの当接部に螺着されるようにしたので、天井が螺着部材を螺着するための下地がないプラスターボード等である場合でも、固定用バンドの当接部をこのような下地として用いることができ、容易に且つ確実に固定用リングを天井に固定することが可能となる。
【００３５】
さらに、本発明の請求項９に記載の採光装置によれば、筒状部材を形成するための薄板の一側部の一端側、他端側及び中央部にそれぞれ第１切欠き、第２切欠き及び第３切欠きが設けられ、第１切欠きは第２切欠きよりも長く形成されているので、薄板の他側部を一側部の第１〜第３切欠きに差し込むことによって、一端の外径が他端の外径よりも幾分小さい筒状部材を形成することができ、所望のテーパ状の筒状部材を容易に形成することが可能となる。また、薄板に第１〜第３切欠きを設けるだけでよいので、テーパの精度のバラツキも少なくすることが可能となる。
【００３６】
さらにまた、本発明の請求項１０に記載の採光装置によれば、薄板の一側部の一端側には第１切欠きの外側に第２切欠きを、また薄板の一側部の他端側には第２切欠きの内側に第１切欠きをそれぞれ設けたので、一端側の第１切欠き（又は第２切欠き）と他端側の第２切欠き（又は第１切欠き）を用いてテーパ状の筒状部材を形成することができる。また、例えば導光手段の長さ調節のために半分の長さの筒状部材が必要な場合に、薄板をその中央部で半分に切断し、切断した薄板の他側部を第２切欠き及び第３切欠き（又は第１切欠き及び第３切欠き）に差し込むことにより、長さが半分であり且つテーパを有する筒状部材を容易に得ることが可能となる。したがって、１つの薄板で２種類の長さの筒状部材を得ることができ、筒状部材の製造コストを低減させることが可能となる。
【００３７】
また、本発明の請求項１１に記載の採光装置によれば、照射手段に関連して排気手段が付設され、排気手段は導光手段の端部の外周部を覆うリング状の吸気部材を備え、吸気部材に設けたダクト接続孔に、外部に連通する換気用ダクトを接続したので、屋内を照明する照明機能だけでなく屋内の空気を外部へ排気する排気機能を備えた、多機能を有する採光装置を提供することが可能となる。また、導光手段の外周部を覆うように排気手段の吸気部材を配設したので、室内インテリア性を考慮したものとなり、室内装飾性を高めたものを提供することができる。
【００３８】
さらに、本発明の請求項１２に記載の採光装置によれば、導光手段の内部に照明装置を設けたので、太陽光を得ることができない夜間においても、屋内を照明することができる採光装置を提供することが可能となる。したがって、室内の天井には、採光装置による照射手段とは別個に蛍光灯などの電灯を設置する必要がないため、設置コストを低減でき、また室内インテリア性を向上させることが可能となる。また、光源からの光は、導光手段の内面で反射されるため、この反射光と光源からの直接光との双方により屋内を照明することとなり、ワット数の比較的小さい電球（例えば４０Ｗ）を光源として用いた場合でも、比較的ワット数の大きい電球（例えば６０Ｗ）により屋内を照明した場合とほぼ同様の明るさを得ることができ、省電力化を図ることが可能となる。
【００３９】
さらにまた、本発明の請求項１３に記載の採光装置によれば、支持体は、その長手方向の垂直断面が略三角形状に形成されており、支持体の底部は下方を向き、またその頂部は上方を向いているので、導光手段によって導かれた光は、支持体が障壁となって減衰されることがない。したがって、光の乱反射率は、照明装置を導光手段の内部に設けない場合とほぼ同様の乱反射率とすることが可能となる。
【００４０】
さらに、本発明の請求項１４に記載の採光装置によれば、採光手段は、太陽からの光を導光手段に向けて反射するための反射板を備え、この反射板の凹面側が南側を向くようにしたので、南側を東から西に移動する太陽からの光を反射板の凹面側で受光し、この受光した光を反射させて導光手段へ効率よく導くことが可能となる。また、反射板は弓状に湾曲しているため、日の出から日没までの間、太陽からの光を所要の通りに受光することができ、また反射板の凹面側を太陽の動きに追尾させるための装置や機構等も不要となる。
【発明を実施するための最良の形態】
【００４１】
以下、添付図面を参照して、本発明に従う採光装置の一実施形態について説明する。図１は、本実施形態による採光装置を示す概略要部断面図、図２は、図１の採光装置の採光手段を示す斜視図、図３は、図２の採光手段を下側から見たところを示す底面図、図４は、図２の採光手段を屋根に取り付けた状態を示す概略斜視図、図５は、図１の採光装置における第１筒状部材を屈曲させない状態で示す斜視図、図６は、図５の第１筒状部材を４５度の角度に屈曲させた状態で示す斜視図、図７は、図５の第１筒状部材の断面図、図８は、第３筒状部材を構成する薄板の他側部を各切欠きに差し込む前の状態で示す斜視図、図９は、図８の薄板の他側部を各切欠きに差し込んだ状態で示す斜視図、図１０は、図１の採光装置の固定用リングを天井へ固定する方法を説明するための概略斜視図、図１１は、図１の採光装置の導光手段及び照射手段を天井へ固定した状態で示す概略要部断面図、図１２は、図１の採光装置に内蔵された照明装置及びその近傍を示す斜視図、図１３は、図１２における照明装置のＹ−Ｙ’線断面図である。
【００４２】
図１を参照して、図示の採光装置２は、採光手段６、導光手段８及び照射手段１２を備え、採光手段６は屋根４に設けられて太陽からの光を導入し、導光手段８は採光手段６からの光をその内面で反射させながら所定方向へ導き、照射手段１２は屋内の天井１０に設けられて導光手段８からの光を室内へ照射する。以下、図１〜図４を参照して、これらの構成要素について説明する。
【００４３】
図１とともに図２〜図４を参照して採光手段６について説明すると、図示の採光手段６は、ドーム部材１４と取付部材１６とから構成される。ドーム部材１４は、例えばポリカーボネートで形成され、略半球面状の透明体に構成されている。ポリカーボネートは、ガラスの約２００倍の強度を有する耐衝撃性に優れた素材であるため、例えば霰や雹が降ってきたとしてもドーム部材１４が破損する恐れがない。また、ポリカーボネートは紫外線を遮断する性質を有するため、採光手段６により太陽からの光を導入する際に、ドーム部材１４により太陽からの光に含まれる紫外線を遮断できる。したがって、照射手段１２（後述する）により太陽からの光を屋内に照射したとしても、紫外線によって室内のフローリング、畳、カーテンなどが日焼けにより劣化するのを防止することができる。さらに、ドーム部材１４により太陽光からの熱が反射されるため、導光手段８（後述する）がこの熱により高温になるのを防止でき、その結果、夏場などにおいて室内の温度が上昇するのを防止することが可能となる。なお、本実施形態ではドーム部材１４をポリカーボネートから形成したが、これに限られることなく、透明なガラスやその他のプラスチックなどで形成することも可能である。また、ドーム部材１４の内面には、左右に突条を有する係止突部２７とリング状係止突部２９（後述する）とがそれぞれ設けられている。
【００４４】
取付部材１６は、屋根４の野地板１８に取り付けられる基台部２０と、基台部２０から上方に延びる中空筒状の支持部２２とから構成され、この支持部２２は基台部２０の略中央部に設けられた開口３８の周縁部から上方に延びている。取付部材１６は、耐衝撃性に優れたＦＲＰ（Ｆｉｂｅｒ  Ｒｅｉｎｆｏｒｃｅｄ  Ｐｌａｓｔｉｃ）で形成されており、例えば霰や雹が降ってきたとしても取付部材１６が破損してしまう恐れがない。なお、取付部材１６は、ＦＲＰに限られることなく、他のプラスチック、ガルバニウムなどの合金又はアルミニウムなどの金属などで形成することも可能である。支持部２２の先端部には、これを被嵌するようにドーム部材１４が装着されている。具体的には、図１に示すように、支持部２２の開口部には、半径方向内方に突出した係止部２３が設けられており、後述するようにこの係止部２３をパッキン（図示しない）を介して第１筒状部材６２の係止片６８に係止させる。そして、ドーム部材１４を支持部２２の開口部に被嵌して、第１筒状部材６２の係止片６８を、支持部２２の係止部２３とドーム部材１４のリング状係止突部２９との間に挟着させる。この状態から、ネジ３１をドーム部材１４に設けた貫通孔（図示せず）へ挿入し、このネジ３１を支持部２２の外側部に設けたネジ孔（図示せず）へ螺着する。このようにして、ドーム部材１４は支持部２２の開口部に装着され、またドーム部材１４、支持部２２及び第１筒状部材６４をそれぞれ一体的に固定することが可能となる。
【００４５】
また、ドーム部材１４の内面には弓状に湾曲した反射板２４が装着されている。反射板２４の凹面側には例えばアルミフィルムなどの反射材（図示せず）が貼着されて十分な反射率を有しており、また反射板２４はその凹面側が南側を向くようドーム部材１４に装着され、このように構成することにより、南側を東から西に移動する太陽からの光を反射板２４の凹面側で受光し、受光した光を反射させて導光手段８へ効率よく導くことが可能となる。また、反射板２４は弓状に湾曲しているため、日の出から日没までの間、太陽からの光を所要の通りに受光することができ、反射板２４の凹面側を太陽の動きに追尾させるための装置や機構等も不要となる。反射板２４の一端部には係止凹部２５が設けられており、この係止凹部２５の左右の端部をドーム部材１４の内面に設けた係止突部２７の左右の突条にそれぞれ係止させることにより、反射板２４をドーム部材１４の内面に取り付けることができる。あるいは、図示しないが、両面テープなどを用いることにより、反射板２４をドーム部材１４の内面に取り付けることも可能である。
【００４６】
基台部２０は略板状に形成され、基台部２０の上端部は上方に折曲する第１上突出壁部２６が設けられており、この第１上突出壁部２６の上端は、基台部２０に隣接してその上側（図２において上側）にて野地板１８に敷設された屋根瓦２８ａ（図４参照）のそれぞれの下端部の内形状に対応した波形形状に形成されている。また、基台部２０の下端部３０は、基台部２０に隣接してその下側（図２において下側）にて野地板１８に敷設された屋根瓦２８ｂ（図４参照）の上端部の外形状に対応した波形形状に形成されている。この実施形態では、図４に示すように、取付部材１６の幅方向（図２及び図４において左右方向）の大きさは、野地板１８に横方向（図４において左右方向）に敷設された３枚の屋根瓦２８ａ，２８ｂに対応しており、したがって、この取付部材１６を取り付ける際には、横方向に隣接する３枚の屋根瓦２８ａを取り除くようになり、またその第１上突出壁部２６の波形形状は、横方向に連続する３枚の屋根瓦２８ａの内形状に対応し、その下端部３０の鋳型形状は、横方向に連続する３枚の屋根瓦２８ｂの外形状に対応している。
【００４７】
さらに、基台部２０の一側端部には、上方に折曲された第２上突出壁部３２が設けられており、この第２上突出壁部３２の上端は、基台部２０に隣接してその一側端部側（図２において右側）にて野地板１８に敷設された屋根瓦２８ｃ（図４参照）の内形状に対応した階段形状に形成されている。また、基台部２０の他側端部３４は下方に凹状に湾曲されており、この湾曲側端部の下端は、基台部２０に隣接してその他側端部側（図２において左側）にて野地板１８に敷設された屋根瓦２８ｄ（図４参照）の形状に対応する階段形状に形成されている。この実施形態では、図４に示すように、取付部材１６の縦方向（図２及び図４において上下方向）の大きさは、野地板１８に上下方向（図４において上下方向）に敷設させた３枚の屋根瓦２８ｃ、２８ｄに対応しており、したがって、この取付部材１６を取り付ける際には、上下方向に隣接する３枚の屋根瓦２８ｃを取り除くようになり、またその第２上折曲部３２の階段形状は、その一側端側において上下方向に連続する３枚の屋根瓦２８ｃの内形状に対応し、その他側端部３４の階段形状は、その他側端側において上下方向に連続する３枚の屋根瓦２８ｄの外形状に対応している。
【００４８】
基台部２０の下端部３０の一側端部及び上端部の他側端部３４のそれぞれの角部には切欠き部３６が設けられており、この切欠き部３６は、基台部２０を野地板１８に取り付ける際に、野地板１８に敷設した屋根瓦２８の形状と合致させるためのものである。
【００４９】
図２及び図３を参照して、支持部２２により規定された円筒状空間が基台部２０の貫通孔３８に連通されている。基台部２０の上面側（支持部２２が設けられている側）には、４角部に略対応した４箇所に、上方に僅かに突出した固定用突部４０（後述する）が設けられている。また、基台部２０の下面側（野地板１８に取り付けられる側）には、貫通孔３８の周辺部の領域、具体的には４個の固定用突部４０を含む領域（図３中に一点鎖線で囲まれた領域）は同一平面を規定しており、このように構成することによって、基台部２０を平坦な野地板１８の上面に接触するように載置することができる。
【００５０】
また、基台部２０の上面側において、支持部２２の外周辺部には、上方に僅かに突出したリング状のリング状突部４２（後述する）が設けられており、リング状突部４２の基台部２０の下端部３０側の一部には切欠きが設けられている。また、基台部２０の底面側において、貫通孔３８の外周辺部にはリング状凹部４４が設けられ、このリング状凹部４４は例えば上記リング状突部４２に対応して設けられる。また、リング状凹部４４の外側にはＵ字型凹部４６が設けられており、このリング状凹部４４及びＵ字型凹部４６にはそれぞれゴムチューブ等で形成されるシール部材４８，５０（後述する）が取り付けられている（図３参照）。リング状凹部４４の基台部２０の下端部３０側の一部には切欠きが設けられており、またＵ字型凹部４６両端部は基台部２０の下端部３０側を向いて延びている。
【００５１】
ここで、図１〜図４を参照して、採光手段６を屋根４に取り付ける取付方法について説明する。屋根４は、合板等で形成される野地板１８と、野地板１８に設けた桟木（図示せず）と、桟木に係止されて野地板１８に敷設される複数の屋根瓦２８とで構成されている。まず、採光手段６を取り付ける屋根４の位置を決定し、この位置における屋根瓦２８を複数枚（この形態では、例えば９枚）取り除いて野地板１８を露出させる。そして、基台部２０の大きさに相当する領域の桟木を取り除いて基台部２０を野地板１８上に載置し、基台部２０に設けた貫通孔３８に対応して野地板１８に円形状の開口５３（図１参照）を形成する。
【００５２】
基台部２０を野地板１８上に載置する際には、基台部２０の他側端部３４が、基台部２０の他側端部３４側に隣接する屋根瓦２８ｄの各端部の上側にそれぞれ重なるようにし、また基台部２０の下端部３０が、基台部２０の下側に隣接する屋根瓦２８ｂの上端部の上側に重なるようにする。野地板１８に敷設された複数の屋根瓦２８の、屋根４の上下方向（図４中に示す矢印Ｕの方向）の断面は階段形状となっており、これに対応して基台部２０の他側端部３４は屋根瓦２８の階段形状に対応した階段形状に形成されているため、基台部２０の他側端部３４と基台部２０の左側に隣接する屋根瓦２８ｄの端部との間の隙間を実質上なくすことが可能となる。また、野地板１８に敷設された複数の屋根瓦２８の、屋根４の左右方向（図４中に示す矢印Ｖの方向）の断面は波形形状となっており、これに対応して基台部２０の下端部３０は屋根瓦２８の波形形状に対応した波形形状に形成されているため、基台部２０の下端部３０と基台部２０の下側に隣接する屋根瓦２８ｂの上端部との間の隙間を実質上なくすことが可能となる。
【００５３】
なお、基台部２０の下端部３０と基台部２０の下側に隣接する屋根瓦２８ｂの上端部との間の隙間には、ゴムチューブ等からなるシール部材５２（図１参照）が介挿されており、また基台部２０の他側端部３４と、基台部２０の他側端部３４側に隣接する屋根瓦２８ｄとの間の隙間にも、シール部材５４が同様に介挿されている。したがって、シール部材５２，５４によりこれらの間が気密的に密閉されるため、雨水がこの隙間から浸入するのを確実に防止することができる。
【００５４】
このようにして基台部２０を野地板１８上へ載置した後、ネジ５６を固定用突部４０を介して野地板１８に螺着し、基台部２０を野地板１８へ固定的に取り付ける。次に、屋根瓦２８ａの下端部が基台部２０の上端部２６の上側に重なるようにして、屋根瓦２８ａを基台部２０の上側に隣接させて野地板１８にきれいに敷設する。また、屋根瓦２８ｃの各端部が基台部２０の一側端部３２の上側に重なるようにして、屋根瓦２８ｃを基台部２０の一側端部３２側に隣接させて野地板１８にきれいに敷設する。基台部２０の第１上突出壁部２６は屋根瓦２８ａの下端部の内形状に対応した波形形状に形成されているため、上述と同様に、基台部２０の上端部２６と基台部２０の上側に隣接する屋根瓦２８ａの下端部との間の隙間を実質上なくすことが可能となる。また、基台部２０の第２上突出壁部３２は屋根瓦２８ｃの階段形状に対応した階段形状に形成されているため、上述と同様に、基台部２０の一側端部３２と基台部２０の一側端部３２側に隣接する屋根瓦２８ｃの端部との間の隙間を実質上なくすことが可能となる。
【００５５】
なお、基台部２０の第１上突出壁部２６と、基台部２０の上端部側に隣接する屋根瓦２８ａの下端部との間の隙間にはゴムチューブ等からなるシール部材５８（図１参照）が介挿されており、また基台部２０の第２上突出壁部３２と、基台部２０の一側端部側に隣接する屋根瓦２８ｃの端部との間の隙間にも、シール部材６０が同様に介挿されている。したがって、シール部材５８，６０によりこれらの間が気密的に密閉されるため、雨水がこれらの間から浸入するのを確実に防止することができる。以上のようにして、採光手段６が屋根４へ取り付けられ、このように取り付けた後に、取付部材１６の支持部２２にドーム部材１４が所要の通りに取り付けられる。
【００５６】
このような取付状態においては、基台部２０の下面側の所定領域が同一平面となるように形成されているため、基台部２０の下面が野地板１８の上面にガタなく接触するように載置することができ、基台部２０を野地板１８に確実に固定することができる。また、基台部２０の下面と野地板１８との間には、リング状凹部４４及びＵ字型凹部４６にそれぞれ取り付けたシール部材４８，５０が介在され、このように介在させることにより、仮に雨水が基台部２０の下面と野地板１８との間に浸入した場合でも、雨水は、図３中の矢印Ｐに示すようにＵ字型凹部４６に取り付けたシール部材５０に沿って下方（基台部２０の下端部３０側）へと流下し、雨水がこの隙間に溜まるのを防止することができる。雨水がこの隙間に溜まると、野地板１８に設けた開口５３より家屋内に浸入する恐れがあるが、このシール部材５０により、雨水がこの隙間に溜まるのを防止でき、その結果、家屋の雨漏りを確実に防止することが可能となる。さらに、リング状凹部４４に取り付けたシール部材４８はＵ字型凹部４６のシール部材５０と同様に作用し、雨水が野地板１８に設けた開口５３より家屋内に浸入するのを防止し、シール部材４８，５０による二重シール構造により、より確実に雨水の家屋内への侵入を防止することができる。
【００５７】
さらに、基台部２０の上面には、支持部２２の外周辺部にリング状突部４２が設けられているので、降雨時に雨水が図４中の矢印Ｑで示すように、このリング状突部４２に沿って下方（基台部２０の下端部３０側）に流下し、基台部２０上に雨水が溜まることがない。したがって、リング状突部４２は、基台部２０の上面における雨水の流路を規定し、雨水が基台部２０上に溜まり家屋内へ漏水するのを防止することができる。
【００５８】
次に、再び図１に戻って導光手段８について説明すると、図示の導光手段８は中空筒状に構成され、採光手段６の支持部２２に装着される第１筒状部材６２と、照射手段１２（後述する）に装着される第２筒状部材６４と、第１筒状部材６２と第２筒状部材６４との間に接続される第３筒状部材６６（６６ａ，６６ｂ）とから構成される。第１〜第３筒状部材６２，６４，６６はそれぞれ、例えばアルミニウムやステンレススチールなどの金属で形成され、またその内面にはアルミフィルムなどの反射材（図示せず）が貼着されており、十分な反射率を有している。反射材を貼着することに代えて、第１〜第３筒状部材６２，６４，６６の各内面には、アルミニウム蒸着などにより鏡面層を施すようにしてもよい。また、第１筒状部材６２の一端部及び第２筒状部材６４の他端部には、径方向外方へ突出した係止片６８，７０がそれぞれ設けられている。
【００５９】
第１筒状部材６２及び第２筒状部材６４はそれぞれ角度調節機構を備えており、この角度調節機構により０度〜４５度の角度範囲で任意の角度に屈曲される。第１筒状部材６２及び第２筒状部材６４は実質上同一の構成であり、以下、第１筒状部材６２について説明する。第１筒状部材６２（又は第２筒状部材６４）は第１筒状体７２及び第２筒状体７４から構成されており、この第１筒状体７２と第２筒状体７４とを角度調節機構を介して接続されている。
【００６０】
この実施形態では、第１筒状体７２及び第２筒状体７４の一方の開口端（相互に接続される開口端）はそれぞれ、軸線Ｃに対して４５度傾斜している（図７参照）。なお、第１筒状体７２及び第２筒状体７４の他方の開口端はそれぞれ、軸線Ｃと略垂直に構成されている。図示の角度調節機構は、図７に示すように、第１筒状体７２の一方の開口端（図７において上側の開口端）に設けられた嵌合用突部７６と、第２筒状体７４の一方の開口端（図７において下側の開口端）に設けられた嵌合用凹部７８とから構成されている。第１筒状体７２の径方向に幾分突出する嵌合用突部７６は第２筒状体７４の嵌合用凹部７８へ摺動自在に嵌合されており、このように嵌合することにより、嵌合用突部７６及び嵌合用凹部７８は相互に相対的に摺動することができ、その結果、第１筒状体７２及び第２筒状体７４は互いに回動自在となる。
【００６１】
第１及び第２筒状体７２，７４を角度調節機構を介して接続することにより、図５に示す第１の状態（第１筒状体７２及び第２筒状体７４が直線状に延びる状態であって、この場合、屈曲角度が零（ゼロ）度となる）から、図６に示す第２の状態（第１筒状体７２に対して第２筒状体７４が４５度傾斜して延びる状態であって、この場合、屈曲角度が４５度となる）まで、第２筒状体７４を第１筒状体７２に対して相対的に図６中の矢印で示すように回動させることができ、このように回動させることによって、第１筒状体７２に対して第２筒状体７４を０〜４５度の角度範囲の任意の角度に屈曲させた状態にすることができる。
【００６２】
図６に示すように、第１筒状体７２に対する第２筒状体７４の屈曲角度の最大値は４５度であり、この屈曲状態では、第２筒状体７４の軸線（図６中に示す二点鎖線）は軸線Ｃに対して４５度傾斜することとなる。したがって、第１筒状部材６２及び第２筒状部材６４は、０〜４５度の角度範囲で任意の角度に屈曲可能となる。なお、第１筒状体７２及び第２筒状体７４の一方の開口端の軸線Ｃに対する傾斜角度は、必ずしも厳密に４５度である必要はなく、そこから多少ずれていても実用上問題はない。
【００６３】
また、第３筒状部材６６は、アルミニウムやステンレススチール等で形成され、この実施形態では、可撓性を有する矩形状の薄板８０を筒状に湾曲させることにより形成されている。尚、可撓性の薄板８０を利用することなく、第１及び第２筒状部材６２，６４と同様に、予め筒状に形成するようにしてもよい。
【００６４】
図８を参照して、薄板８０の一側部８２（図８において左側に位置する側部）の一端側（第３筒状部材６６の一端側である端部側）には第１切欠き８４が設けられており、この第１切欠き８４の外側には第２切欠き８６が設けられている。また、薄板８０の一側部８２の他端側（第３筒状部材６６の他端側である端部側）には第２切欠き８６が設けられており、この第２切欠き８６の内側には第１切欠き８４が設けられている。さらに、薄板８０の一側部８２の中央部には、一対の第３切欠き８８が設けられ、これら第３切欠き８８の間の部位が凹状に切り欠かれ、一対の第３切欠き８８間の部位が作用部８９として機能する。第１〜第３切欠き８４，８６，８８はそれぞれ矩形状に構成されており、第１切欠き８４は第２切欠き８６よりも長く形成され、また第３切欠き８８は第１切欠き８４よりも短く、第２切欠き８６よりも長く形成されている。
【００６５】
図８の状態から、薄板８０の他側部９０が、薄板８０の一側部８２の一端側の第１切欠き８４（又は、第２切欠き８６）と、薄板８０の一側部８２の中央部の第３切欠き８８，８８と、薄板８０の一側部８２の他端側の第２切欠き８６（又は、第１切欠き８２）とにそれぞれ差し込まれ、このように差し込むことによって、一端側（又は他端側）の外径が他端側（又は一端側）の外径よりも幾分小さい筒状部材が形成され、このように形成した筒状部材が第３筒状部材として用いられる。このように差し込んだ状態では、図８に示すように、薄板８０の他側部９０の表面側に、その一側部８２の一端側の第１切欠き８４より外側の部位、その一対の第３切欠き８８間の作用部８９及びその他端側の第１及び第２切欠き８４，８６間の部位が位置し、薄板８０の他側部９０の裏面側に、その一側部８２の残りの部位が位置し、薄板８０の他側部９０はその一側部８２のこれらの部位間に挟持され、幾分テーパの付いた筒状に保持される。
【００６６】
このように筒状に形成した後は、必要に応じて、薄板８０の一側部８２と他側部９０との継ぎ目にアルミニウム製のテープ（図示せず）が貼着され、このようにテープを貼着することにより、図９に示すようにテーパを有し且つ一端（図９において上側）の外径が他端（図９において下側）の外径よりも幾分小さい第３筒状部材６６が構成される。以下の説明において、第３筒状部材６６の外径の小さい方の開口端を第１開口端９２、また外径の大きい方の開口端を第２開口端９４という。
【００６７】
また、半分の長さの第３筒状部材（図示せず）が必要な場合には、容易に理解される如く、第３切欠き８８，８８間のほぼ中央で薄板８０を図８において横方向に切断して上下方向に半分にし、この半分に切断した一方の薄板８０の他側部９０を、その薄板８０の一側部８２に設けた第２切欠き８６及び第３切欠き８８にそれぞれ差し込めばよく、このようにすることにより、テーパを有し且つ半分の長さの第３筒状部材が二つ得られる。
【００６８】
なお、薄板８０の一側部８２の一端側には第１切欠き８４（又は、第２切欠き８６）のみを、また薄板８０の一側部８２の他端側には第２切欠き８６（又は、第１切欠き８４）のみを設けることも可能である。また、薄板８０の一側部８２において、その一端側の第１切欠き８４の内側に第２切欠き８６を設けるとともに、その他端側の第２切欠き８６の外側に第１切欠き８４を設けてもよい。したがって、第１切欠き８４及び第２切欠き８６の配置は一側部８２の一端側及び他端側に任意に設定することが可能である。さらに、本実施形態では、薄板８０の一側部８２の中央部に第３切欠き８８を２個設けたが、これに限られず、１個又は３個、あるいは４個以上設けることも可能である。また、この実施形態では、薄板８０を二つに切断して半分の長さの第３筒状部材をつくることが可能であるが、その一側部８２の適宜の部位に切欠きを設け、例えば１／３の長さ、１／４の長さなどの第３筒状部材をつくることができるようにしてもよい。
【００６９】
図１を参照して、上述した第１〜第３筒状部材６２，６４，６６（６６ａ，６６ｂ）は、次のようにして接続される。第１筒状部材６２の一端部は、野地板１８に設けた開口５３を通して、野地板１８に取り付けた基台部２０の支持部２２内に挿入される。そして、第１筒状部材６２の一端部に設けた係止片６８を支持部２２の開口端に設けた係止部２３にパッキン（図示しない）を介して係止させることにより、第１筒状部材６２が採光手段６に装着される。この第１筒状部材６２の他端部には、第３筒状部材６６ａが装着される。第１筒状部材６２の他端部の外径は、第３筒状部材６６ａの第１開口端９２の外径よりも幾分大きく構成されており、第３筒状部材６６ａの第１開口端９２を第１筒状部材６２の他端部内に所定長さだけ挿入し、第１筒状部材６２と第３筒状部材６６との継ぎ目に例えばアルミテープ（図示せず）などを貼着して両者を一体的に接続する。また、第１筒状部材６２に接続した第３筒状部材６６ａの第２開口端９４内に、別の第３筒状部材６６ｂの第１開口端９２を所定長さだけ挿入し、第３筒状部材６６ａと第３筒状部材６６ｂとの継ぎ目にアルミテープ（図示せず）などを貼着して両者を一体的に接続する。
【００７０】
そして、かく装着した第３筒状部材６６ｂに第２筒状部材６４が装着される。第２筒状部材６４の一端部の外径は、第３筒状部材６６ｂの第２開口端９４の外径よりも幾分小さく構成されており、第２筒状部材６４の一端部を第３筒状部材６６ｂの第２開口端９４内へ所定長さだけ挿入し、第２筒状部材６４と第３筒状部材６６ｂとの継ぎ目にアルミテープ（図示しない）などを貼着して両者を一体的に接続する。その後、第２筒状部材６４の他端部には、後述するように固定用リング９６を介して照射手段１２が装着される。
【００７１】
以上のようにして、導光手段８は、例えば、屋根４と屋内の天井１０との間、すなわち屋根裏や２階部などに配設されることとなる。採光手段６と照射手段１２との相対的な位置関係に応じて、又は天井裏などの空間の大きさに応じて、第１筒状部材６２及び第２筒状部材６４を０〜４５度の角度範囲において任意の所望角度に屈曲させることができ、これらの屈曲角度を調節することによって、各種の家屋に広く適用することができる。
【００７２】
なお、本実施形態では、第３筒状部材６６（６６ａ，６６ｂ）を２個用いる場合について説明したが、採光手段６の設置高さと照射手段１２の設置高さとの差に応じて、すなわち第１筒状部材６２と第２筒状部材６４との間の距離に応じて、第３筒状部材６６の数を適宜設定すればよい。このように、第３筒状部材６６の数を適宜設定することにより、導光手段８の長さを任意に調節することが可能である。
【００７３】
次いで、照射手段１２について説明すると、図示の照射手段１２は、例えば半透明のガラス又はプラスチックなどから形成される半球面状の拡散カバー９８から構成される（図１参照）。拡散カバー９８の開口部には、半径方向内方に突出した円弧状の突条９９が複数個（本実施形態では３個）設けられている。この拡散カバー９８により、導光手段８の内部を乱反射しながら導かれた光を拡散させて室内へ照射し、太陽光を利用して室内を照明するのである。照射手段１２には、固定用リング９６を介して第２筒状部材６４が装着され、この固定用リング９６を屋内の天井１０に固定することにより、第２筒状部材６４及び照射手段１２を天井１０に固定することができる。以下、図１０及び図１１を参照して、固定用リング９６の天井１０への固定方法について説明する。
【００７４】
固定用リング９６は、筒状部１００と、筒状部１００の一端（図１１において下端）の外周部より外方に突出した当接片１０２と、当接片１０２の片面側に突出したリング状装着部１０３と、筒状部１００の一端の内周部より内方に突出した凹溝部１０４と、当接片１０２の外周部に設けたリング状装飾部１０６とを有している（図１１参照）。当接片１０２には、複数の挿通孔１０８（後述する）及び固定孔１１０（後述する）が周方向に間隔をおいて設けられており、固定孔１１０は挿通孔１０８よりも半径方向外側に設けられている。また、リング状装着部１０３の外周部には、複数個（本実施形態では３個）の長溝１０５が設けられている。
【００７５】
この固定用リング９６の取付けの際には、天井１０に円形状の天井開口１１２を設け、この天井開口１１２から第２筒状部材６４の他端部を露出させる。そして、第２筒状部材６４の他端部に設けた係止片７０を固定用リング９６の凹溝部１０４に挿入し、さらに第２筒状部材６４の係止片７０と固定用リング９６の筒状部１００との間にゴムなどで形成される固定用チューブ部材１１４を挿嵌し、このようにして第２筒状部材６４が固定用リング９６に確実に装着される。そして、必要に応じて、第２筒状部材６４と固定用リング９６との接合部に例えばアルミテープ１１６などを貼着して、第２筒状部材６４を固定用リング９６により確実に装着する。
【００７６】
その後、固定用リング９６に設けた複数の挿通孔１０８にそれぞれ固定用バンド１１８を所定長さだけ挿入する。固定用バンド１１８は、例えばプラスチックから形成され、所定の厚みを有する当接部１２０と、当接部１２０から延びるバンド部１２２とを有している。バンド部１２２には、固定用リング９６の挿通孔１０８に係止する係止爪１２４が長手方向に間隔をおいて複数設けられている。バンド部１２２を挿通孔１０８に挿入すると、係止爪１２４の一つが挿通孔１０８に係止されて、固定用バンド１１８の引き抜きが阻止される。
【００７７】
天井１０への固定の際には、固定用リング９６の筒状部１００を天井開口１１２に挿入し、固定用バンド１１８の当接部１２０を天井開口１１２を通して天井１０の上面側（天井裏側）に配置させ、また固定用リング９６の当接片１０２を天井１０の下面側（室内側）に配置させた後、固定用バンド１１８の当接部１２０が天井１０の上面に当接するまでバンド部１２２を下方（図１０中の矢印Ｘで示す方向）へ引っ張る。このように引っ張ると、固定用バンド１１８の当接部１２０と固定用リング９６の当接片１０２との間に天井１０が挟持され、固定用リング９６が天井１０に確実に装着される（図１１参照）。この取付状態においては、固定用バンド１１８の当接部１２０は、固定用リング９６に設けた固定孔１１０の上方に位置し、バンド部１２２の係止爪１２４の一つが固定用リング９６の挿通孔１０８に係止するので、固定用バンド１１８は固定用リング９６に確実に取り付けられ、このような取付状態において、固定用リング９６の当接片１０２から下方に延びる余分なバンド部１２２は、カッター（図示せず）などによって切断される。
【００７８】
このように取り付けた後に、ネジ等の螺着部材１２６を固定用リング９６に設けた固定孔１１０に挿入し、この固定孔１１０を通して天井１０及び固定用バンド１１８の当接部１２０に螺着し、このようにして固定用リング９６を天井１０に固定する。この時、螺着部材１２６の頭部は当接片１０２に設けた螺着部材用孔（図示せず）に埋設され、螺着部材１２６の頭部は当接片１０２の下面側（室内側）と略同一平面上に位置される。また、螺着部材１２６の頭部には固定用リング９６と例えば同色の化粧用ネジ１０９が装着されており、室内から照射手段１２を見上げた際に、拡散カバー９８を通して螺着部材１２６の頭部が見えることがなく、見栄えのよいものとなる。したがって、天井１０がプラスターボードのようにネジ止めの下地がない材質のもので構成されていても、固定用バンド１１８の当接部１２０をネジ止めの下地として用いることができ、螺着部材１２６により固定用リング９６を天井１０に確実に固定することが可能となる。
【００７９】
このようにして天井１０に取り付けた固定用リング９６に設けたリング状装着部１０３に、照射手段１２としての拡散カバー９８が装着される。具体的には、拡散カバー９８の各突条９９を、リング状装着部１０３に設けた各長溝１０５にそれぞれ挿入し、拡散カバー９８を所定方向に廻して各突条９９を各長溝１０５に確実に係止させることにより、拡散カバー９８をリング状装着部１０３に装着する。また、リング状装飾部１０６は拡散カバー９８の外周部に配置され、照射手段１２を装飾するものとして室内のインテリア性を高めることが可能となる。もちろん、リング状装飾部１０６を設けることなく固定用リング９６を構成することも可能である。
【００８０】
上述した採光装置２による採光は、次のようにして行われる。太陽光の採光は採光手段６から行われ、採光手段６のドーム部材１４を通して導入された光は、ドーム部材１４内に装着された反射板２４の凹面側で反射されて導光手段８へと導かれる。そして、導光手段８に導かれた光は、第１筒状部材６２、第３筒状部材６６（６６ａ，６６ｂ）及び第２筒状部材６４の内周面を乱反射しながら所定方向（照射手段１２の位置する方向）へと導かれる。このように導かれた光は、第２筒状部材６４から出射され、かく出射された光は拡散カバー９８により拡散されて室内を照射し、このようにして太陽光を利用して室内が照明される。なお、図１では、室内に導かれる太陽光の経路のうち一部のみを簡略的に示している。このようにして、日中は太陽からの光を採光装置２により室内へ導入することで屋内を照明することができ、電灯を使用する必要がなく大変経済的である。
【００８１】
上述した採光装置２では、太陽光を利用することができない夜間などにおいても照明光を得ることができるように、照明装置を内蔵することも可能である。図１２及び図１３において、図示の採光装置２には、第２筒状部材６４内に照明装置１８０が設けられている。照明装置１８０は、ソケット部１９２を有する電球等の光源１８２と、光源１８２を支持する棒状の支持体１８４とから構成されている。支持体１８４の中央部には光源１８２を装着するための取付部１８６が設けられており、またこの取付部１８６の下端部には、ソケット部１９２を差し込んで光源１８２を装着するためのソケット孔（図示せず）が設けられている。このソケット部１９２は、取付部１８６に設けたソケット孔へ差し込まれて、光源１８２が支持体１８４へ着脱自在に装着される。また、この取付部１８６からは、支持翼部１８８，１８８がそれぞれ反対方向に延びている。支持翼部１８８は、その長手方向に垂直な断面が略三角形状に構成されており（図１３参照）、また支持翼部１８８の先端部には固定片１９０が設けられている。
【００８２】
ここで、照明装置１８０を第２筒状部材６４内に装着する方法について説明する。まず、第２筒状部材６４の側面部に２箇所、照明装置１８０を取り付けるための取付用孔１９４を設ける。そして、この各取付用孔１９４に各支持翼部１８８に設けた固定片１９０をそれぞれ挿入することにより、照明装置１８０を第２筒状部材６４内に装着する。この時、第２筒状部材６４の軸方向に垂直な断面において、光源１８２は第２筒状部材６４内の略中央部に位置されており、また支持翼部１８８の図１２中のＹ−Ｙ’線による断面において、三角形の頂点が上方（図１３において上側）を向いている。また、固定片１９０はそれぞれ第２筒状部材６４の側面部に設けた取付用孔１９４より外部へ露出されており、一方の固定片１９０からは光源１８２へ電力を供給するための電力ケーブル（図示せず）が延びている。さらに、照明装置１８０は、第２筒状部材６４の他端部から約１０〜２０ｃｍの高さ位置に装着されている。
【００８３】
次に、この採光装置２を用いた照明方法について説明する。太陽からの光が得られる日中の場合、この照明装置１８０の光源１８２は点灯させずに、採光手段６で導入した太陽からの光のみで屋内を照明する。すなわち、採光手段６で導入され、導光手段８の内面を乱反射しながら所定方向へ導かれた光は、第２導光手段６４の内面と支持体１８４の外面との間に規定される空間を通り（図１３参照）、照射手段１２へと導かれる。この時、支持翼部１８８の底部は下方（図１３において下側）を向き、またその頂部は上方（図１３において上側）を向いているため、この支持翼部１８８が障壁となって光が減衰されることがなく、光の乱反射率を照明装置１８０を設けない場合とほぼ同様に維持することができる。このようにして、第２筒状部材６４から出射された光は拡散カバー９８により拡散され、屋内へ照射されて屋内が照明される。
【００８４】
一方、太陽からの光を得ることができない夜間の場合、光源１８２を点灯させて、この光源１８２からの光を拡散カバー９８により拡散させることにより屋内を照明する。この時、光源１８２からの光の一部は、第２筒状部材６４の内面で反射され、この反射光と、光源１８２からの直射光との双方によって屋内を照明する。このように、光源１８２からの光の一部が第２筒状部材６４の内面で反射されることにより、照射手段１２により照射される光の光量（明るさ）が増大するため、光源１８２として比較的ワット数の小さい（例えば、４０Ｗ）電球を用いた場合でも、比較的ワット数の大きい（例えば、６０Ｗ）電球により屋内を照射した場合とほぼ同様の明るさが得られる。
【００８５】
このようにして、日中は太陽からの光を屋内へ導入して屋内を照明し、また夜間は照明装置１８０の光源１８２を点灯させて屋内を照明することにより、照射手段１２以外に蛍光灯等の照明器具（図示せず）を別途天井１０に設ける必要がなくなる。したがって、日中及び夜間を問わず、採光装置２によって屋内を照明することができるため、天井１０には採光装置２による照射手段１２のみを設ければよく、経済性に優れるとともに室内のインテリア性を損なうこともない。
【００８６】
次に、図１４及び図１５を参照して、採光装置の他の実施形態について説明する。図１４及び図１５において、図１〜図１１に示す実施形態と同一の構成要素には同一の符号を付してその説明を省略する。図１４は、他の実施形態による排気手段及びそれに関連する構成を分解して示す分解斜視図、図１５は、図１４の他の実施形態による排気手段及びそれに関連する構成要素を天井へ固定した状態で示す概略要部断面図である。
【００８７】
図１４及び図１５において、この他の実施形態の採光装置２Ａでは、照射手段１２に関連して排気手段１２８が付設されている。図示の排気手段１２８は、第２筒状部材６４の端部の外周側を覆うリング状の吸気部材１３０と、吸気グリル１３２とを備えている。吸気部材１３０は、リング状の保持部１３４と、保持部１３４から軸方向外方に延びる筒部１３６と、保持部１３４の外周部に設けた筒状のダクト接続部１３８とから構成されている。リング状の保持部１３４は、ダクト接続部１３８側（図１４において右側）から、ダクト接続部１３８とは反対側（図１４において左側）にかけて下り傾斜するように設けられている。筒部１３６の開口端（図１５において下側の開口端）には、半径方向内方に突出した係止部１４０が設けられている（図１５参照）。ダクト接続部１３８には接続流路１３９が規定され、この接続流路１３９の一端側は上方を向き、またその他端側は下方を向いており、この他端側が筒部１３６の外周部に規定される排気流路１４２（後述する）と連通している。吸気グリル１３２はリング状に構成され、その外周壁には網目状に形成されたグリル部１４４が設けられている。
【００８８】
次に、照射手段１２及び排気手段１２８の天井１０への固定方法について説明する。照射手段１２及び排気手段１２８は固定用リング９６Ａを介して天井１０に固定される。この固定用リング９６Ａは、筒状部１００Ａと、筒状部１００Ａの外周部の一端（図１４において下端）より径方向外方に突出した当接片１０２Ａと、リング状の支持片１４６と、この支持片１４６を当接片１０２Ａへ保持するための複数の接続部１４８とを有し、当接片１０２Ａには、周方向に間隔をおいて複数の固定孔１１０が設けられている。
【００８９】
固定用リング９６Ａを固定する際には、まず、第２筒状部材６４の他端部を吸気部材１３０の筒部１３６内に挿入し、第２筒状部材６４の他端部の係止片７０を筒部１３６に設けた係止部１４０に係止させ、必要に応じて固定用ゴムチューブ（図示せず）を用いて、第２筒状部材６４を吸気部材１３０に装着する。そして、吸気部材１３０の筒部１３６を天井１０に設けた天井開口１１２に挿通させ、吸気部材１３０の保持部１３４及びダクト接続部１３８を天井１０の上面側（裏側）に配置する。
【００９０】
次に、吸気部材１３０の筒部１３６を固定用リング９６Ａに上側から挿入し、筒部１３６の端部を固定用リング９６Ａの支持片１４６に支持させる。そして、当接片１０２Ａを天井１０の下面（室内側の面）へ当接させ、固定孔１１０を通してネジ等の螺着部材１２６を天井１０に螺着して固定用リング９６Ａを天井１０に固定する。なお、天井１０がプレスボードのようにネジ受けの下地がない場合には、上記実施形態のように固定用リング９６Ａに挿通孔を設け、固定用バンドを挿通孔に挿入して、固定用バンドの当接部をネジ受けの下地として用いればよい。
【００９１】
次いで、固定用リング９６Ａの当接片１０２Ａに吸気グリル１３２を装着し、さらにこの吸気グリル１３２に拡散カバー９８を装着し、このようにして、排気手段１２８及び照射手段１２が図１５に示すように屋内の天井１０に取り付けられ、かく取り付けた後に、吸気部材１３０のダクト接続部１３８に、換気用ダクト１５０の一端側が接続される。換気用ダクト１５０の他端側は外部に連通され、換気用ダクト１５０の屋外に延びる他端部に換気ファン（図示せず）が取り付けられる。換気ファンは、例えば外部の風の流れを利用して回動するもの、電動モータを利用して回動するものなどでよく、換気ファンの吸引作用によって室内の空気が換気ダクト１５０を通して外部に排出される。
【００９２】
照射手段１２及び排気手段１２８を天井１０に取り付けた状態においては、吸気部材１３０の筒部１３６と吸気グリル１３２のグリル部１４４との間、及び吸気部材１３０の筒部１３６と固定用リング９６Ａの筒状部１００Ａとの間には、室内の空気を外部に排出するための排気流路１４２が規定される。換気ファン（図示せず）が回動すると、図１４中に示した矢印のように、室内の空気は、吸気グリル１３２のグリル部１４４を通って排気流路１４２内へ流れ、かく流入した空気はダクト接続部１３８の接続流路１３９を通って換気用ダクト１５０内へ導かれ、換気用ダクト１５０を通して外部へ放出される。この時、保持部１３４は上述のように傾斜して設けられているため、排気流路１４２は、ダクト接続部１３８からダクト接続部１３８と反対側にかけて徐々に狭くなるように規定される。このように排気流路１４２を規定することにより、排気流路１４２内の空気を効率よくダクト接続部１３８へと導くことが可能となる。したがって、この実施形態では、太陽光を利用して室内を照明するのみならず、室内の空気を外部に排出して換気することができ、採光装置２Ａに採光機能及び換気機能を持たせることができる。
【００９３】
また、図１６〜図１８を参照して、採光装置の更に他の実施形態について説明する。図１６〜図１８において、図２及び図４と同一の構成要素には同一の符号を付してその説明を省略する。図１６は、更に他の実施形態による採光手段を示す斜視図、図１７は、図１６の取付部材を示す断面図、図１８は、図１６の採光手段を屋根に取り付けた状態を示す概略斜視図である。
【００９４】
図１６及び図１７において、この更に他の実施形態の採光装置２Ｂでは、採光手段６Ｂの取付部材１６Ｂを構成する支持部２２Ｂ及び基台部２０Ｂがそれぞれ別体に構成されている。支持部２２Ｂは筒状に構成され、支持部２２Ｂの一方の開口部には半径方向内方に突出した係止部２３Ｂが設けられており、またその他方の開口部には半径方向外方に幾分突出した接続凹部２００が設けられている。
【００９５】
基台部２０Ｂは略板状に形成され、その中央部よりやや上側（図１６において上側）へ偏った位置に設けられた貫通孔３８Ｂの周縁部から支持筒部２０２が上方に延びている。支持筒部２０２の開口部には、半径方向外方に突出した接続突部２０４が設けられている。さらに、基台部２０Ｂの上端部２０８（図１６において上側）、一側端部２１０（図１６において右側）及び他側端部２１２（図１６において左側）はそれぞれ基台部２０Ｂの上面側（支持部２２Ｂが設けられている側）へ内方に折り返されており、また基台部２０Ｂの下端部２１４（図１６において下側）は下方に折曲されている。この時、下端部２１４の端部は支持部２２Ｂ側へ内方に折り返されている（図１６及び図１８参照）。また、支持部２２Ｂ及び基台部２０Ｂは、例えばソフトアルミニウム等の軟質の金属でそれぞれ形成されており、支持部２２Ｂの厚さ（肉厚）は約１．２ｍｍ程度、また基台部２０Ｂの厚さ（肉厚）は約０．５〜０．６ｍｍ程度に構成されている。
【００９６】
基台部２０Ｂの支持筒部２０２に設けた接続突部２０４は、支持部２２Ｂの接続凹部２００と嵌合されて、基台部２０Ｂ及び支持部２２Ｂは一体的に接続される。この時、接続突部２０４と接続凹部２００との嵌合部には、支持部２２Ｂの内面側から変成シリコン等によるコーキング２０７が施されており、この嵌合部における接続突部２０４と接合凹部２００との間の隙間から雨水が浸入するのを防止している。また、支持部２２Ｂの一方の開口部には、上記実施形態と同様、ドーム部材１４が装着されている。
【００９７】
以上のようにして構成した採光手段６Ｂは、次のようにして屋根４Ｂに取り付けられる。屋根４Ｂは、合板等で形成される野地板（図示せず）と、この野地板に敷設される複数のコロニアル２０６（屋根材の一種）とで構成されている。まず、採光手段６Ｂを取り付ける屋根４Ｂの位置を決定し、この位置におけるコロニアル２０６を複数枚取り除いて野地板を露出させ、基台部２０Ｂに設けた貫通孔３８Ｂに対応して野地板に円形状の開口（図示せず）を形成する。また、野地板に設けた開口の周囲に敷設されるコロニアル２０６ａの一部には、この開口に対応して円弧状の切欠きがそれぞれ設けられている（図１８参照）。
【００９８】
基台部２０Ｂを屋根４Ｂに載置する際には、基台部２０Ｂの上側半分（図１８において上側の領域）が野地板上に載置されるようにし、また基台部２０Ｂの下側半分（図１８において下側の領域）がコロニアル２０６ｂ上に載置されるようにする。そして、基台部２０Ｂの上側半分に上記の取り除いたコロニアル２０６ｃを重ねるようにして、基台部２０Ｂの上側半分にコロニアル２０６ｃを敷設する。基台部２０Ｂの上側半分に敷設されるコロニアル２０６ｃには、基台部２０Ｂの支持筒部２０２の外周部に対応した円弧状の切欠きがそれぞれ設けられているため（図１８参照）、コロニアル２０６ｃを敷設する際に基台部２０Ｂの支持筒部２０２が邪魔になることがない。以上のようにして、基台部２０Ｂの上側半分は、野地板とコロニアル２０６ｃとの間に配置され、また基台部２０Ｂの下側半分は、コロニアル２０６ａ，２０６ｂ上に配置されることとなる。
【００９９】
ここで、野地板に敷設された複数のコロニアル２０６の、屋根の上下方向（図１８において上下方向）の断面は階段形状となっているが、基台部２０Ｂは薄板状のソフトアルミニウムで形成されているため、基台部２０Ｂの一側端部２１０及び他側端部２１２を例えばハンマーや素手（図示せず）などを用いて変形させ、基台部２０Ｂの形状を屋根４Ｂの階段形状に対応させることが可能である。このように基台部２０Ｂの形状を変形させて、基台部２０Ｂの形状をコロニアル２０６の形状と合致させることにより、基台部２０Ｂの一側端部２１０及び他側端部２１２とコロニアル２０６との間の隙間を実質上なくすことが可能となる。
【０１００】
また、基台部２０Ｂの上端部２０８は内方へ折り返されているため、雨水が基台部２０Ｂと、基台部２０Ｂの上側半分に敷設されたコロニアル２０６ｃとの間の隙間から浸入した場合でも、この内方へ折り返された上端部２０８により雨水を遮断することが可能となる。さらに、基台部２０Ｂの一側端部２１０及び他側端部２１２も内方に折り返されているため、雨水が基台部２０Ｂの一側端部２１０及び他側端部２１２と、これらに隣接するコロニアル２０６との間の隙間へ浸入するのを遮断することが可能となる。また、基台部２０Ｂの下端部２１４は下方に折曲されているため、降雨時に雨水が基台部２０Ｂ上に溜まるのを防止することが可能となる。この実施形態では、基台部２０Ｂを屋根材の形状に合わせて自在に変形させることが可能であるので、コロニアルやトタンなど種々の屋根材が敷設された屋根に適応することが可能である。
【０１０１】
以上、本発明に従う種々の採光装置の実施形態について説明したが、本発明はかかる実施形態に限定されるものではなく、本発明の範囲を逸脱することなく種々の変形乃至修正が可能である。
【０１０２】
例えば、上記実施形態では導光手段として第１〜第３筒状部材を用いたが、導光手段を屈曲させて配設する必要がない場合には、第１筒状部材及び第２筒状部材を用いることなく、第３筒状部材のみを用いて導光手段を構成するようにしてもよい。なお、このように導光手段を屈曲させて配設する必要がない場合であっても、第１筒状部材及び第２筒状部材の屈曲角度を０（零）度として、第１〜第３筒状部材を用いてもよいことは言うまでもない。
【図面の簡単な説明】
【０１０３】
【図１】本発明の一実施形態による採光装置を示す概略要部断面図。
【図２】図１の採光装置の採光手段を示す斜視図。
【図３】図２の採光手段を下側から見たところを示す底面図。
【図４】図２の採光手段を屋根に取り付けた状態を示す概略斜視図。
【図５】図１の採光装置における第１筒状部材を屈曲させない状態で示す斜視図。
【図６】図５の第１筒状部材を４５度の角度に屈曲させた状態で示す斜視図。
【図７】図５の第１筒状部材を示す断面図。
【図８】第３筒状部材を構成する薄板の他側部を各切欠きに差し込む前の状態で示す斜視図。
【図９】図８の薄板の他側部を各切欠きに差し込んだ状態で示す斜視図。
【図１０】図１の採光装置の固定用リングを天井へ固定する方法を説明するための概略斜視図。
【図１１】図１の採光装置の導光手段及び照射手段を天井に固定した状態で示す概略要部断面図。
【図１２】図１の採光装置に内蔵された照明装置及びその近傍を示す斜視図。
【図１３】図１２における照明装置のＹ−Ｙ’線断面図。
【図１４】他の実施形態の採光装置の排気手段及びそれに関連する構成要素を分解して示す分解斜視図。
【図１５】図１４の他の実施形態による排気手段及びそれに関連する構成要素を天井へ固定した状態で示す概略要部断面図。
【図１６】更に他の実施形態の採光手段を示す斜視図。
【図１７】図１６の取付部材を示す断面図。
【図１８】図１６の採光手段を屋根に取り付けた状態を示す概略斜視図。
【符号の説明】
【０１０４】
２，２Ａ，２Ｂ  採光装置
６，６Ｂ  採光手段
８  導光手段
１２  照射手段
１４  ドーム部材
１６，１６Ｂ  取付部材
２０，２０Ｂ  基台部
２２，２２Ｂ  支持部
６２  第１筒状部材
６４  第２筒状部材
６６，６６ａ，６６ｂ  第３筒状部材
８４  第１切欠き
８６  第２切欠き
８８  第３切欠き
９６，９６Ａ  固定用リング
１１８  固定用バンド
１２０  当接部
１２２  バンド部
１２８  排気手段
１３８  ダクト接続孔
１８０  照明装置
１８２  光源
１８４  支持体
【図１】
2006054071.tif 000003
【図２】
2006054071.tif 000004
【図３】
2006054071.tif 000005
【図４】
2006054071.tif 000006
【図５】
2006054071.tif 000007
【図６】
2006054071.tif 000008
【図７】
2006054071.tif 000009
【図８】
2006054071.tif 000010
【図９】
2006054071.tif 000011
【図１０】
2006054071.tif 000012
【図１１】
2006054071.tif 000013
【図１２】
2006054071.tif 000014
【図１３】
2006054071.tif 000015
【図１４】
2006054071.tif 000016
【図１５】
2006054071.tif 000017
【図１６】
2006054071.tif 000018
【図１７】
2006054071.tif 000019
【図１８】
2006054071.tif 000020